(57)【要約】      （修正有）【課題】複数の物品を紐で結束する作業を確実に行うことの可能な、物品結束用器具を提供する。【解決手段】物品の表面に接触されるプレート形状のベース部１１と、ベース部１１から当該ベース部１１の厚さ方向に突出された突き刺し部１２と、突き刺し部１２を長手方向に貫通し、かつ、紐が通される紐挿入孔１６と、を有する物品結束用器具１０であって、突き刺し部１２の先端に、紐挿入孔１６の中心線に対して傾斜した傾斜部が設けられていて、ベース部１１から突出された接続片１５が、更に設けられ、突き刺し部１２がベース部１１から突出された方向と、接続片１５がベース部１１から突出された方向とが同じである。【選択図】図２
0003233379.tif 000002
【実用新案登録請求の範囲】
【請求項１】
物品の表面に接触されるプレート形状のベース部と、
前記ベース部から当該ベース部の厚さ方向に突出された突き刺し部と、
前記突き刺し部を長手方向に貫通し、かつ、紐が通される紐挿入孔と、
を有する、物品結束用器具。
【請求項２】
請求項１記載の物品結束用器具において、
前記突き刺し部の先端に、前記紐挿入孔の中心線に対して傾斜した傾斜部が設けられている、物品結束用器具。
【請求項３】
請求項１または２記載の物品結束用器具において、
前記ベース部から突出された接続片が、更に設けられ、
前記突き刺し部が前記ベース部から突出された方向と、前記接続片が前記ベース部から突出された方向とが同じである、物品結束用器具。
【考案の詳細な説明】
【技術分野】
【０００１】
本考案は、積み重ねられた物品同士を紐で結束するために用いる物品結束用器具に関する。
【背景技術】
【０００２】
積み重ねられた物品同士を紐で結束するために用いる物品結束用器具の一例が、特許文献１に記載されている。特許文献１に記載されている物品結束用器具は、基端部および先端部を有する棒状の通し具本体と、通し具本体の先端部に形成するとともに、段ボール箱に突き通し可能な突通し用尖端部と、突通し用尖端部より通し具本体の基端部側に位置しているとともに、縛り紐を挿通するための紐挿通孔を形成している膨出部と、膨出部と通し具本体との間に位置しているとともに縛り紐を切断可能な紐切断部と、を有する。
【０００３】
特許文献１に記載された物品結束用器具は、通し具本体を縛り紐とともに段ボール箱に突き通すことにより、通した縛り紐により段ボール箱を積み重ねた状態で保持することができる、とされている。
【先行技術文献】
【特許文献】
【０００４】
【特許文献１】特開２０１３−１２９４５０号公報
【考案の概要】
【考案が解決しようとする課題】
【０００５】
本願考案者は、特許文献１に記載された物品結束用器具によると、通し具本体を縛り紐とともに段ボール箱に突き通した場合に、段ボール箱と縛り紐との摩擦抵抗で縛り紐が引っ張られて、縛り紐が紐挿通孔から抜けてしまい、段ボール箱を結束する作業を確実に行えない可能性がある、という課題を認識した。
【０００６】
本考案の目的は、複数の物品を紐で結束する作業を確実に行うことの可能な、物品結束用器具を提供することにある。
【課題を解決するための手段】
【０００７】
本考案の物品結束用器具は、物品の表面に接触されるプレート形状のベース部と、前記ベース部から当該ベース部の厚さ方向に突出された突き刺し部と、前記突き刺し部を長手方向に貫通し、かつ、紐が通される紐挿入孔と、を有する。
【考案の効果】
【０００８】
本考案の物品結束用器具を使用すると、複数の物品を紐で結束する作業を確実に行うことができる。
【図面の簡単な説明】
【０００９】
【図１】（Ａ）は、物品結束用器具の斜視図、（Ｂ）は、物品結束用器具をダンボールに刺す前の断面図である。
【図２】（Ａ）は、物品結束用器具をダンボールに刺した状態の断面図、（Ｂ）は、突き刺し部の紐通し孔に紐を挿入する状態の断面図である。
【図３】（Ａ）は、複数のダンボールの貫通孔に紐が挿入されている状態の断面図、（Ｂ）は、複数のダンボールの貫通孔に挿入された紐を縛った状態の斜視図である。
【考案を実施するための形態】
【００１０】
本考案の物品結束用器具の実施形態を図面に基づいて詳細に説明する。なお、物品結束用器具を説明するための全図において、同一部には原則として同一の符号を付し、その繰り返しの説明は省略する。
【００１１】
図１（Ａ）、（Ｂ）に示すように、物品結束用器具１０は、プレート形状のベース部１１と、ベース部１１に固定された突き刺し部１２と、を有する。ベース部１１の平面形状は、略四角形である。ベース部１１は、使用場所１３に接触される位置決め部材としての機能を有する。ベース部１１は、固定孔１４を有する。固定孔１４は、ベース部１１を厚さ方向に貫通している。
【００１２】
また、ベース部１１の一側縁に接続された接続片１５が設けられている。接続片１５は、ベース部１１と一体であり、ベース部１１及び接続片１５は、金属材料、例えば、アルミニウム、ステンレス、鉄等をプレス加工して一体成形したものである。ベース部１１及び接続片１５は、金属材料に代えて、強化プラスチック製でもよい。接続片１５は、ベース部１１に対して略９０度の角度で立ち上げられており、ベース部１１及び接続片１５の断面形状は、Ｌ字形である。接続片１５の平面形状は、略四角形である。
【００１３】
突き刺し部１２は、金属材料、例えば、アルミニウム、ステンレス、鉄等により構成された中空のパイプである。突き刺し部１２は、金属材料に代えて、強化プラスチック製でもよい。突き刺し部１２は、長手方向に沿った紐挿入孔１６を有する。突き刺し部１２の外径は、中心線Ａ１に沿った方向で一定である。中心線Ａ１は、紐挿入孔１６の中心を通る仮想線である。また、中心線Ａ１に対して略垂直な平面内における突き刺し部１２の外周形状は、円形である。突き刺し部１２は、中心線Ａ１に対して傾斜して切断された傾斜部１７と、中心線Ａ１に対して略垂直な端部１８と、を有する。つまり、突き刺し部１２は、注射器の針を拡大したような形状及び構造を有する。
【００１４】
そして、突き刺し部１２における傾斜部１７の反対側が固定孔１４に挿入されている。突き刺し部１２及びベース部１１が、共に金属製である場合は、半田付けまたは溶接等によって互いに固定されている。突き刺し部１２及びベース部１１が、共に強化プラスチック製である場合は、接着剤または溶着によって互いに固定されている。突き刺し部１２がベース部１１から突出されている方向と、接続片１５がベース部１１から突出されている方向とは同じである。また、突き刺し部１２が、ベース部１１から突出された高さＨ１は、接続片１５がベース部１１から突出された高さＨ２より長い。
【００１５】
次に、物品結束用器具１０の使用例を説明する。使用者は、図１（Ｂ）のように、平坦であり、かつ、略水平な使用場所１３にベース部１１を置く。そして、段ボール１９を略水平に支持しかつ、段ボール１９の一側縁２０を接続片１５の略真上に位置させた後、段ボール１９の表面を突き刺し部１２の先端へ押し付け、かつ、下降させる。すると、突き刺し部１２の先端が段ボール１９に刺さり、かつ、突き刺し部１２が段ボール１９を厚さ方向に貫通する。その後、段ボール１９がベース部１１に接触して停止される。
【００１６】
以後、使用者は、上記と同様の作業を繰り返すことにより、図２（Ａ）のように、突き刺し部１２を複数の段ボール１９に貫通させ、かつ、各段ボール１９に貫通孔２１を形成することができる。また、複数の段ボール１９は、ベース部１１の上に重ねて置かれており、各段ボール１９の貫通孔２１は、中心線Ａ１を中心として同じ位置にある。
【００１７】
使用者は、所定数の段ボール１９がベース部１１の上に溜まってきたら、図２（Ｂ）のように、突き刺し部１２の紐挿入孔１６に紐２２を挿入し、かつ、物品結束用器具１０を使用場所１３から持ち上げる。さらに、突き刺し部１２を段ボール１９の貫通孔２１から抜き取ると、図３（Ａ）のように、紐２２が貫通孔２１へ通された状態に保持される。そして、使用者は紐２２を各段ボール１９の一側縁２０に掛け回し、かつ、図３（Ｂ）のように紐２２で輪を作るように縛ると、複数の段ボール１９を重ねた状態で紐２２により結束する作業が完了する。
【００１８】
本実施形態の物品結束用器具１０を用いると、突き刺し部１２が複数の段ボール１９を貫通している状態で、紐２２を紐挿入孔１６に挿入した後、突き刺し部１２を貫通孔２１から抜き取る。したがって、突き刺し部１２を貫通孔２１から抜き取る過程で、紐２２と段ボール１９とが擦れることが無く、摩擦抵抗によって紐２２が段ボール１９の貫通孔２１から抜けることを防止できる。したがって、複数の段ボール１９を紐２２で結束する作業を、確実、かつ、簡単に行うことが可能である。
【００１９】
また、段ボール１９は、平面形状及び寸法が不揃いであり、かつ、仕切り片の有無等が異なるが、本実施形態の物品結束用器具１０を用いると、複数の段ボール１９を重ねて運搬する際、または、複数の段ボール１９を重ねて廃棄する際に、結束した複数の段ボール１９が荷崩れすることを防止できる。さらに、輪のように縛った紐２２を持ち手として利用することができ、複数の段ボール１９を運搬し易い。なお、突き刺し部１２を段ボール１９から抜き取る前の状態では、段ボール１９を立てて置くことで、専有場所を狭くすることができる。
【００２０】
さらに、突き刺し部１２に傾斜部１７が設けられているため、突き刺し部１２が段ボール１９に突き刺さり易い。さらに、接続片１５は、突き刺し部１２を段ボール１９に突き刺す場合の目印になる。さらに、段差のある使用場所１３に段ボールを置き、突き刺し部１２の先端を下に向け、かつ、段ボール１９の表面に押し付けることにより、突き刺し部１２を段ボール１９をに突き刺すことも可能である。使用場所１３に段差があるため、突き刺し部１２の先端が、使用場所１３に突き当たることは無い。
【００２１】
本実施形態で説明した事項の技術的意味の一例は、次の通りである。物品結束用器具１０は、物品結束用器具の一例である。ベース部１１は、ベース部１１の一例である。突き刺し部１２は、突き刺し部の一例である。紐挿入孔１６は、紐挿入孔の一例である。傾斜部１７は、傾斜部の一例である。接続片１５は、接続片の一例である。
【００２２】
本実施形態の、物品結束用器具は、図面を用いて開示されたものに限定されるものではなく、その要旨を逸脱しない範囲で種々変更可能である。例えば、本実施形態の物品結束用器具及び紐により結束される物品は、段ボールに限らず、新聞紙、厚紙、チラシ等であってもよい。つまり、物品は、突き刺し部を突き刺して貫通可能なシート状の物品であればよい。さらに、突き刺し部により突き刺される物品の数は、限定されない。また、突き刺し部の硬度は、物品の硬度よりも高い。なお、接続片は、設けられていなくてもよい。さらに、紐の材質は、合成樹脂製、紙製、布製、金属製等のうちの何れでもよい。紐は、物品を結束することが可能な要素であればよく、紐は、ワイヤー、線材、ロープ等を含む。
【産業上の利用可能性】
【００２３】
本実施形態の物品結束用器具は、シート状の物品を複数重ねて紐で束ねる場合に利用可能である。
【符号の説明】
【００２４】
１０…物品結束用器具、１１…ベース部、１２…突き刺し部、１５…接続片、１６…紐挿入孔、１７…傾斜部
【図１】
0003233379.tif 000003
【図２】
0003233379.tif 000004
【図３】
0003233379.tif 000005